【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
映像情報をコーディングするための装置であって、
コーディングされるべき現在のピクチャに関する層間基準ピクチャに関連する映像情報を格納するように構成されたメモリと、
前記メモリに動作可能な形で結合され、
前記層間基準ピクチャのある領域を定義するように構成される複数の層間基準オフセットに関連する情報を受信するように構成され、ここにおいて、前記領域は、前記現在のピクチャの予測を生成するために使用され、及び、前記複数の層間基準オフセットは、現在のピクチャに関する左オフセットと、上オフセットと、右オフセットと、下オフセットと、を含み、ここにおいて、
前記左オフセットは、前記層間基準ピクチャの左上ルマサンプルと前記現在のピクチャの左上ルマサンプルとの間の水平オフセットであり、
前記上オフセットは、前記層間基準ピクチャの前記左上ルマサンプルと前記現在のピクチャの前記左上ルマサンプルとの間の垂直オフセットであり、
前記右オフセットは、前記層間基準ピクチャの右下ルマサンプルと前記現在のピクチャの右下ルマサンプルとの間の水平オフセットであり、及び
前記下オフセットは、前記層間基準ピクチャの前記右下ルマサンプルと前記現在のピクチャの前記右下ルマサンプルとの間の垂直オフセットであり、
ここにおいて、各オフセットは、ルマサンプルの単位で定義され、
前記現在のピクチャの幅及び前記層間基準ピクチャの幅が等しいことと、
前記現在のピクチャの高さ及び前記層間基準ピクチャの高さが等しいことと、
前記左オフセット、前記上オフセット、前記右オフセット、及び前記下オフセットは各々０に等しいことと、
を決定するように構成され、及び
前記現在のピクチャの前記幅及び前記層間基準ピクチャの前記幅が等しく、前記現在のピクチャの前記高さ及び前記層間基準ピクチャの前記高さが等しく、及び、前記左オフセットと、前記上オフセットと、前記右オフセットと、前記下オフセットとが各々０に等しいとの前記決定に基づいて、前記層間基準ピクチャを再サンプリングしないように構成されたプロセッサと、を備える、装置。
【請求項２】
前記プロセッサは、前記複数の層間基準オフセット及び前記層間基準ピクチャのピクチャフォーマットに基づいて前記層間基準ピクチャを再サンプリングすべきかどうかを決定するようにさらに構成され、前記ピクチャフォーマットは、空間解像度、クロマフォーマット、又はビット深度のうちの１つ以上を含む請求項１に記載の装置。
【請求項３】
前記プロセッサは、
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、に少なくとも部分的に基づいて前記層間基準ピクチャを再サンプリングすべきかどうかを決定するようにさらに構成される請求項１に記載の装置。
【請求項４】
前記プロセッサは、前記現在のピクチャの前記ルマコンポーネントの前記ビット深度及び前記層間基準ピクチャの前記ルマコンポーネントの前記ビット深度が等しく、前記現在のピクチャの前記クロマコンポーネントの前記ビット深度及び前記層間基準ピクチャの前記クロマコンポーネントの前記ビット深度が等しく、及び、前記現在のピクチャの前記クロマフォーマット及び前記層間基準ピクチャの前記クロマフォーマットが等しいことに基づいて、前記層間基準ピクチャが再サンプリングされるべきでないと決定するようにさらに構成される請求項３に記載の装置。
【請求項５】
前記プロセッサは、前記現在のピクチャの前記ルマコンポーネントの前記ビット深度及び前記層間基準ピクチャの前記ルマコンポーネントの前記ビット深度が等しくなく、前記現在のピクチャの前記クロマコンポーネントの前記ビット深度及び前記層間基準ピクチャの前記クロマコンポーネントの前記ビット深度が等しくなく、又は前記現在のピクチャの前記クロマフォーマット及び前記層間基準ピクチャの前記クロマフォーマットが等しくないことに基づいて、前記層間基準ピクチャが再サンプリングされるべきであると決定するようにさらに構成される請求項３に記載の装置。
【請求項６】
前記プロセッサは、前記層間基準ピクチャをアップサンプリング、ダウンサンプリング、ビットシフト、クロッピング、又はパディングすることのうちの１つ以上を行うようにさらに構成される請求項１に記載の装置。
【請求項７】
前記プロセッサは、前記再サンプリングされた層間基準ピクチャを前記現在のピクチャの基準ピクチャリストに加えるようにさらに構成される請求項１に記載の装置。
【請求項８】
前記プロセッサは、前記層間基準ピクチャが再サンプリングされるべきではないとの決定に応答して、前記層間基準ピクチャを再サンプリングせずに前記層間基準ピクチャを前記現在のピクチャの基準ピクチャリストに加えるようにさらに構成される請求項１に記載の装置。
【請求項９】
前記装置は、デスクトップコンピュータ、ノートブックコンピュータ、ラップトップコンピュータ、タブレットコンピュータ、セットトップボックス、電話ハンドセット、スマートフォン、スマートパッド、テレビ、カメラ、表示装置、デジタルメディアプレーヤー、ビデオゲームコンソール、及び映像ストリーミングデバイスから成るグループから選択される請求項１に記載の装置。
【請求項１０】
映像情報をコーディングする方法であって、
コーディングされるべき現在のピクチャに関する層間基準ピクチャに関連する映像情報を格納することと、
前記層間基準ピクチャのある領域を定義するように構成される複数の層間基準オフセットに関連する情報を受信することであって、前記領域は、前記現在のピクチャの予測を生成するために使用され、及び、前記複数の層間基準オフセットは、前記現在のピクチャに関する左オフセットと、上オフセットと、右オフセットと、下オフセットと、を含むことと、ここにおいて、
前記左オフセットは、前記層間基準ピクチャの左上ルマサンプルと前記現在のピクチャの左上ルマサンプルとの間の水平オフセットであり、
前記上オフセットは、前記層間基準ピクチャの前記左上ルマサンプルと前記現在のピクチャの前記左上ルマサンプルとの間の垂直オフセットであり、
前記右オフセットは、前記層間基準ピクチャの右下ルマサンプルと前記現在のピクチャの右下ルマサンプルとの間の水平オフセットであり、及び
前記下オフセットは、前記層間基準ピクチャの前記右下ルマサンプルと前記現在のピクチャの前記右下ルマサンプルとの間の垂直オフセットであり、
ここにおいて、各オフセットは、ルマサンプルの単位で定義され、
前記現在のピクチャの幅及び前記層間基準ピクチャの幅が等しいことと、
前記現在のピクチャの高さ及び前記層間基準ピクチャの高さが等しいことと、
前記左オフセット、前記上オフセット、前記右オフセット、及び前記下オフセットは各々０に等しいことと、
を決定することと、
前記現在のピクチャの前記幅及び前記層間基準ピクチャの前記幅が等しく、前記現在のピクチャの前記高さ及び前記層間基準ピクチャの前記高さが等しく、及び、前記左オフセットと、前記上オフセットと、前記右オフセットと、前記下オフセットとが各々０に等しいとの前記決定に基づいて、前記層間基準ピクチャを再サンプリングしないことと、を備える、方法。
【請求項１１】
前記複数の層間基準オフセット及び前記層間基準ピクチャのピクチャフォーマットに基づいて、前記層間基準ピクチャを再サンプリングすべきかどうかを決定することをさらに備え、前記ピクチャフォーマットは、空間解像度、クロマフォーマット、又はビット深度のうちの１つ以上を含む請求項１０に記載の方法。
【請求項１２】
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、に少なくとも部分的に基づいて前記層間基準ピクチャを再サンプリングすべきかどうかを決定することをさらに備える請求項１０に記載の方法。
【請求項１３】
前記現在のピクチャの前記ルマコンポーネントの前記ビット深度及び前記層間基準ピクチャの前記ルマコンポーネントの前記ビット深度が等しく、前記現在のピクチャの前記クロマコンポーネントの前記ビット深度及び前記層間基準ピクチャの前記クロマコンポーネントの前記ビット深度が等しく、及び、前記現在のピクチャの前記クロマフォーマット及び前記層間基準ピクチャの前記クロマフォーマットが等しいことに基づいて、前記層間基準ピクチャが再サンプリングされるべきでないと決定することをさらに備える請求項１２に記載の方法。
【請求項１４】
前記現在のピクチャの前記ルマコンポーネントの前記ビット深度及び前記層間基準ピクチャの前記ルマコンポーネントの前記ビット深度が等しくなく、前記現在のピクチャの前記クロマコンポーネントの前記ビット深度及び前記層間基準ピクチャの前記クロマコンポーネントの前記ビット深度が等しくなく、又は前記現在のピクチャの前記クロマフォーマット及び前記層間基準ピクチャの前記クロマフォーマットが等しくないことに基づいて、前記層間基準ピクチャが再サンプリングされるべきであると決定することをさらに備える請求項１２に記載の方法。
【請求項１５】
前記層間基準ピクチャをアップサンプリング、ダウンサンプリング、ビットシフト、クロッピング、又はパディングすることのうちの１つ以上を行うことをさらに備える請求項１０に記載の方法。
【請求項１６】
非一時的なコンピュータによって読み取り可能な媒体であって、コンピュータハードウェアを備えるプロセッサで実行されたときに、
コーディングされるべき現在のピクチャに関する層間基準ピクチャに関連する映像情報を格納することを前記プロセッサに行わせる命令と、
前記層間基準ピクチャのある領域を定義するように構成される複数の層間基準オフセットに関連する情報を受信することを前記プロセッサに行わせる命令であって、前記領域は、前記現在のピクチャの予測を生成するために使用され、及び、前記複数の層間基準オフセットは、前記現在のピクチャに関する左オフセットと、上オフセットと、右オフセットと、下オフセットと、を含み、
前記左オフセットは、前記層間基準ピクチャの左上ルマサンプルと前記現在のピクチャの左上ルマサンプルとの間の水平オフセットであり、
前記上オフセットは、前記層間基準ピクチャの前記左上ルマサンプルと前記現在のピクチャの前記左上ルマサンプルとの間の垂直オフセットであり、
前記右オフセットは、前記層間基準ピクチャの右下ルマサンプルと前記現在のピクチャの右下ルマサンプルとの間の水平オフセットであり、及び
前記下オフセットは、前記層間基準ピクチャの前記右下ルマサンプルと前記現在のピクチャの前記右下ルマサンプルとの間の垂直オフセットであり、
各オフセットは、ルマサンプルの単位で定義される命令と、
前記現在のピクチャの幅及び前記層間基準ピクチャの幅が等しいことと、
前記現在のピクチャの高さ及び前記層間基準ピクチャの高さが等しいことと、
前記左オフセット、前記上オフセット、前記右オフセット、及び前記下オフセットは各々０に等しいことと、
を決定することを前記プロセッサに行わせる命令と、
前記現在のピクチャの前記幅及び前記層間基準ピクチャの前記幅が等しく、前記現在のピクチャの前記高さ及び前記層間基準ピクチャの前記高さが等しく、及び、前記左オフセットと、前記上オフセットと、前記右オフセットと、前記下オフセットとが各々０に等しいとの前記決定に基づいて、前記層間基準ピクチャを再サンプリングしないことを前記プロセッサに行わせる命令と、を備える、非一時的なコンピュータによって読み取り可能な媒体。
【請求項１７】
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、に少なくとも部分的に基づいて前記層間基準ピクチャを再サンプリングすべきかどうかを決定することを前記プロセッサに行わせる命令をさらに備える請求項１６に記載の非一時的なコンピュータによって読み取り可能な媒体。
【請求項１８】
映像情報をコーディングするための装置であって、
コーディングされるべき現在のピクチャに関する層間基準ピクチャに関連する映像情報を格納するための手段と、
前記層間基準ピクチャのある領域を定義するように構成される複数の層間基準オフセットに関連する情報を受信するための手段であって、前記領域は、前記現在のピクチャの予測を生成するために使用され、及び、前記複数の層間基準オフセットは、前記現在のピクチャに関する左オフセットと、上オフセットと、右オフセットと、下オフセットと、を含み、
前記左オフセットは、前記層間基準ピクチャの左上ルマサンプルと前記現在のピクチャの左上ルマサンプルとの間の水平オフセットであり、
前記上オフセットは、前記層間基準ピクチャの前記左上ルマサンプルと前記現在のピクチャの前記左上ルマサンプルとの間の垂直オフセットであり、
前記右オフセットは、前記層間基準ピクチャの右下ルマサンプルと前記現在のピクチャの右下ルマサンプルとの間の水平オフセットであり、及び
前記下オフセットは、前記層間基準ピクチャの前記右下ルマサンプルと前記現在のピクチャの前記右下ルマサンプルとの間の垂直オフセットであり、
各オフセットは、ルマサンプルの単位で定義される手段と、
前記現在のピクチャの幅及び前記層間基準ピクチャの幅が等しいことと、
前記現在のピクチャの高さ及び前記層間基準ピクチャの高さが等しいことと、
前記左オフセット、前記上オフセット、前記右オフセット、及び前記下オフセットは各々０に等しいことと、
を決定するための手段と、
前記現在のピクチャの前記幅及び前記層間基準ピクチャの前記幅が等しく、前記現在のピクチャの前記高さ及び前記層間基準ピクチャの前記高さが等しく、及び、前記左オフセットと、前記上オフセットと、前記右オフセットと、前記下オフセットとが各々０に等しいとの前記決定に基づいて、前記層間基準ピクチャを再サンプリングしないための手段と、を備える、装置。
【請求項１９】
前記現在のピクチャのルマコンポーネントのビット深度及び前記層間基準ピクチャのルマコンポーネントのビット深度が等しいかどうかと、
前記現在のピクチャのクロマコンポーネントのビット深度及び前記層間基準ピクチャのクロマコンポーネントのビット深度が等しいかどうかと、
前記現在のピクチャのクロマフォーマット及び前記層間基準ピクチャのクロマフォーマットが等しいかどうかと、に少なくとも部分的に基づいて前記層間基準ピクチャを再サンプリングすべきかどうかを決定するための手段をさらに備える請求項１８に記載の装置。